(57)【要約】【課題】衣類を着せる際に人形や衣類を傷めることのないマネキン人形を提供する。また、衣類の着せ替えを簡単に、手早く行うことができるマネキン人形を提供する。【解決手段】胸部１１及び肩部１２を有する本体部２０と腕部１３を有する取付部３０とを備え、本体部２０と取付部３０が、連結部５０を構成して結合及び分離可能に連結され、その結合状態が磁力によって保持される。連結部５０は、本体部２０の側が凹状に形成され、取付部３０の側が凸状に形成される。連結部５０は、本体部２０と取付部３０が相互に摺動可能な結合面を備える。【選択図】図１
2017158778.tif 000002
【特許請求の範囲】
【請求項１】
衣類の展示などに用いるマネキン人形であって、
胸部及び肩部を有する本体部と腕部を有する取付部を備え、
前記本体部と前記取付部が、連結部を構成して結合及び分離可能に連結され、
その結合状態が、磁力によって保持されることを特徴とするマネキン人形。
【請求項２】
前記連結部は、前記本体部の側が凹状に形成され、前記取付部の側が凸状に形成されていることを特徴とする請求項１に記載のマネキン人形。
【請求項３】
前記連結部は、前記本体部と前記取付部が相互に摺動可能な結合面を備えていることを特徴とする請求項１又は２に記載のマネキン人形。
【請求項４】
前記結合面が、曲面であることを特徴とする請求項３に記載のマネキン人形。
【請求項５】
前記取付部が、結合及び分離可能な他の連結部を備えていることを特徴とする請求項１乃至４の何れか１項に記載のマネキン人形。
【発明の詳細な説明】
【技術分野】
【０００１】
本発明は、服飾品の展示などに用いられるマネキン人形に関し、特に、衣類の着せ替えを手早く行うことができるマネキン人形に関する。
【背景技術】
【０００２】
図６に、従来のマネキン人形１１０を示す。
マネキン人形１１０は、胸部１１１を含む本体部１２０がスタンド１９０に支持されており、その左右に、肩部１１２、腕部１１３及び手部１１４を含む取付部１３０が連結されている。連結部１５０は、肩部１１２に形成されている。
【０００３】
図７に、連結部１５０の一例を示す。
本体部１２０の連結面１２１には嵌合孔１２２が設けられ、取付部１３０の連結面１３１には嵌合突起１３２が設けられている。嵌合突起１３２を嵌合孔１２２に差し込むことによって、取付部１３０が本体部１２０に結合され、その結合状態が保持される。このような連結手段は引用文献１などに記載されている。
【０００４】
図８は、マネキン人形１１０に、衣類を着せるときの様子を示している。
先ず、マネキン人形１１０から取付部１３０を取り外しておき、上着１８０の左右の袖１８１にシャツ１７０の左右の袖１７１を通した後に、シャツ１７０とともに上着１８０を本体部１２０に着せる。
次に、シャツ１７０の脇から、袖１７１の中へ取付部１３０を差し込んで、この状態で嵌合突起１３２を嵌合孔１２２に差し込み、取付部１３０を本体部１２０に連結する。
【０００５】
しかしながら、袖１７１に取付部１３０を差し込むときに、嵌合突起１３２によりマネキン人形１１０の胸部１１１、あるいは首、顔などを傷付けることが頻繁にある。また、連結する際には、嵌合孔１２２と嵌合突起１３２が、シャツ１７０と上着１８０の中に隠れてしまい、その位置関係を目視することが難しいために、嵌合突起１３２で本体部１２０を傷付けることがある。さらには、シャツ１７０や上着１８０までも傷めてしまうことがある。さらに、セーターを着せる場合には、取付部１３０を、セーターの胴から脇下を通して袖に差し込むことになり、セーターを傷めてしまうことになる。
【先行技術文献】
【特許文献】
【０００６】
【特許文献１】特開２００３−２４１９７号公報
【発明の概要】
【発明が解決しようとする課題】
【０００７】
そこで、本発明は、シャツや上着の展示に用いるマネキン人形であって、衣類を着せる際に、マネキン人形や衣類を傷めることのないマネキン人形を提供することを目的としている。また、衣類の着せ替えを簡単に、手早く行うことができるマネキン人形を提供することを目的としている。
【課題を解決するための手段】
【０００８】
前記目的を達成するために、本発明のマネキン人形は、衣類の展示などに用いるマネキン人形であって、胸部及び肩部を有する本体部と腕部を有する取付部を備え、前記本体部と前記取付部が、連結部を構成して結合及び分離可能に連結され、その結合状態が、磁力によって保持されることを特徴としている。
【０００９】
前記連結部は、前記本体部の側が凹状に形成され、前記取付部の側が凸状に形成されている構成とすることができる。
前記連結部は、前記本体部と前記取付部が相互に摺動可能な結合面を備えている構成とすることができる。
また、前記結合面が、曲面である構成とすることができる。
また、前記取付部が、結合及び分離可能な他の連結部を備えている構成とすることができる。
【発明の効果】
【００１０】
このように構成された本発明のマネキン人形は、取付部の連結部側を比較的細い形状とすることができる。このため、従来のように取付部の手部側からシャツの脇下に差し込むのではなく、取付部の連結部側からシャツの袖口に差し込んで、本体部に到達させることができる。
そして、取付部をシャツの袖口から脇下に向けて直線的に差し込むだけで、連結部を磁力により容易に結合させることができる。また、取付部を本体部から引き離すことにより容易に分離させることができる。
したがって、マネキン人形や衣類を傷付けることなく、衣類を簡単に素早く着せたり脱がしたりすることができる。
【図面の簡単な説明】
【００１１】
【図１】本発明のマネキン人形の一例を示す概略外観図である。
【図２Ａ】本発明のマネキン人形における、連結部の位置を示す説明図である。
【図２Ｂ】従来のマネキン人形における、連結部の位置を示す説明図である。
【図３】本発明の連結部の一例を示す概略断面図である。
【図４Ａ】結合部材の一例を示す概略図である。
【図４Ｂ】結合部材の他の例を示す概略図である。
【図４Ｃ】結合部材のまた別の例を示す概略図である。
【図５】本発明のマネキン人形に衣類を着せるときの様子を示す説明図である。
【図６】従来のマネキン人形の一例を示す概略外観図である。
【図７】従来の連結部の一例を示す概略断面図である。
【図８】従来のマネキン人形に衣類を着せるときの様子を示す説明図である。
【発明を実施するための形態】
【００１２】
図１は、本発明のマネキン人形１０の外観を示している。
マネキン人形１０は、衣類の展示などに用いる人形であって、胸部１１及び肩部１２を有する本体部２０と、腕部１３及び手部１４を有する取付部３０を備えている。そして、本体部２０と取付部３０が、連結部５０を構成して結合及び分離可能に連結されている。本体部２０はスタンド９０により支持されている。
【００１３】
図２Ａ及び図２Ｂにより、本発明のマネキン人形１０と従来のマネキン人形１１０との外観上の違いを比較して示す。
本発明のマネキン人形１０では、肩部１２が、本体部２０に位置している。
従来のマネキン人形１１０では、肩部１１２が、腕部１１３とともに取付部１３０に位置している。
【００１４】
本発明では、本体部２０が、胸部１１及び肩部１２を有していることを構成要件としているが、この構成要件を明確にするために、連結部５０の位置を用いて定義することにする。
すなわち、本体部２０及び取付部３０を示す正面外観図において、上部輪郭に沿って接線を引いたときに、連結部５０における接線Ｔと水平線Ｈとのなす角度θが４５度以上であるとき、本体部２０が肩部１２を有していると定義する。
【００１５】
マネキン人形１０とマネキン人形１１０を比較すると、上記の定義が我々の常識的な判断と何ら矛盾していないことが分かる。すなわち、図２Ａのマネキン人形１０では、角度θが約７５度であり、本体部２０が肩部１２を有していることも明確である。また、図２Ｂのマネキン人形１１０では、角度θが約３０度であり、本体部１２０が肩部１１２を有していないことも明確である。
【００１６】
マネキン人形１０は、本体部２０と取付部３０が連結部５０を構成して連結され、結合及び分離が可能であるとともに、その結合状態が磁力によって保持されるようになっている。
図３には、連結部５０の分離状態と結合状態が示されている。
【００１７】
連結部５０では、本体部２０側の連結面２１が凹状に形成され、取付部３０側の連結面３１が凸状に形成されている。
本体部２０の連結面２１を凹状に形成することによって、肩部１２周辺の形状を人体に近い体型とすることが可能となり、衣類の展示性に優れたマネキン人形１０とすることができる。
また、取付部３０の連結面３１を凸状に形成することによって、端部の近傍を細くすることができるので、後述するように、衣類の着脱を簡単にすることができる。
【００１８】
本体部２０と取付部３０とを結合するために、本体部２０は結合部材２５を備え、取付部３０は結合部材３５を備えている。そして、結合部材２５が磁石で構成され、結合部材３５が強磁性体で構成されている。したがって、結合部材２５と結合部材３５が磁力によって結合し、その結合状態が磁力によって保持されることになる。
【００１９】
結合部材３５は球状に形成され、結合面３６は球面である。結合部材２５の結合面２６は、これと同じ曲率の凹曲面である。このため、結合部材３５の結合面３６と結合部材２５の結合面２６とが、球状の曲面によって相互に摺動可能に結合されることになる。すなわち、取付部３０は、球状の結合部材３５を中心に回動し、本体部２０に対して任意の方向に曲げたり、捩じったりすることができる。
【００２０】
取付部３０は、腕部１３と手部１４が、連結部５１を構成して連結され、結合及び分離が可能となっている。このように、取付部３０は、手首や肘などに結合及び分離可能な連結部を備えることができる。これらにおいて、結合状態を保持する手段は特に限定されない。
【００２１】
結合部材２５及び結合部材３５は、磁石と磁石の組み合わせでもよく、磁石と強磁性体との組み合わせでもよい。
強磁性体としては、一般的には鉄、コバルト、ニッケルなどの金属であるが、Ｆｅ−Ｎｉ、Ｆｅ−Ｃｏ、Ｆｅ−Ｎｉ−Ｃｏ−Ａｌ、Ｆｅ−Ｎｉ−Ｃｏなどの合金、ＳｍＣｏ５  、Ｎｄ２  Ｆｅ１４Ｂなどの化合物、γ−Ｆｅ２  Ｏ３  などの酸化物を使用することができる。
【００２２】
図４Ａ〜図４Ｃに示すように、連結部５０は種々の形態とすることができる。
図４Ａに示す連結部５０ａは、本体部２０ａと取付部３０ａが、共に角柱状の結合部材２５ａ及び結合部材３５ａを備えている。本体部２０ａでは、平面状の連結面２１ａに平面状の結合面２６ａを備える結合部材２５ａが少し落ち窪んだ状態で取り付けられている。取付部３０ａでは、平面状の連結面３１ａに平面状の結合面３６ａを備える結合部材３５ａが少し突出した状態で取り付けられている。
【００２３】
したがって、連結面２１ａと連結面３１ａが、相互に嵌合する凹面と凸面を備えて連結するようになっている。そして、結合部材２５ａと結合部材３５ａが磁力によって結合され、この結合状態を保持することができる。そして、結合面２６ａと結合面３６ａが互いに摺動しないようにすることができる。
【００２４】
図４Ｂに示す連結部５０ｂは、本体部２０ｂと取付部３０ｂが、共に円柱状の結合部材２５ｂ及び結合部材３５ｂを備えている。本体部２０ｂでは、平面状の連結面２１ｂに平面状の結合面２６ｂを備える結合部材２５ｂが少し落ち窪んだ状態で取り付けられている。取付部３０ｂでは、平面状の連結面３１ｂに平面状の結合面３６ｂを備える結合部材３５ｂが少し突出した状態で取り付けられている。
【００２５】
したがって、連結面２１ｂと連結面３１ｂが、相互に嵌合する凹面と凸面を備えて連結するようになっている。そして、結合部材２５ｂと結合部材３５ｂが磁力によって結合され、この結合状態を保持することができる。この場合は、結合面２６ｂと結合面３６ｂが互いに摺動して２次元的に回動可能とすることができるので、結合部材３５ｂの軸を中心として、本体部２０ｂに対して取付部３０ｂを捩じるように回動することができる。
【００２６】
図４Ｃに示す連結部５０ｃでは、本体部２０ｃと取付部３０ｃが、共に先端に球面を備える円柱状の結合部材２５ｃ及び結合部材３５ｃを備えている。本体部２０ｃの連結面２１ｃには、凹面状の結合面２６ｃを備える結合部材２５ｃが取り付けられ、取付部３０ｃの連結面３１ｃには、凸面状の結合面３６ｃを備える結合部材３５ｃが取り付けられている。
【００２７】
そして、結合部材２５ｃと結合部材３５ｃを磁力によって結合させ、この結合状態を保持することができる。この場合は、結合面２６ｃと結合面３６ｃが互いに摺動して３次元的に回動可能とすることができるので、結合部材３５ｃの球状部を中心として、本体部２０ｃに対して取付部３０ｃを回動したり捩じったりすることができる。
このとき、図のように連結面２１ｃ及び連結面３１ｃを平面として、回動の範囲を制限することができる。または、連結面２１ｃを凹面とし連結面３１ｃを凸面とすることにより、回動の範囲を広くすることもできる。
【００２８】
図５は、マネキン人形１０に、衣類を着せるときの様子を示している。
先ず、マネキン人形１０から両取付部３０を取り外しておき、上着８０の左右の袖８１にシャツ７０の左右の袖７１を通した後に、シャツ７０とともに上着８０を本体部２０に着せる。ここで、シャツ７０のボタンを留めたり、ネクタイを締めたりすることができる。
次に、シャツ７０の袖７１の部分から、取付部３０を袖７１の中へ差し込んで本体部２０に到達させ、結合部材２５と結合部材３５を結合させる。
【００２９】
マネキン人形１１０では、取付部１３０が肩部１１２を含むために、この部分が大きくなり、角のある形状となる。このために、取付部１３０を袖口から差し込むことができない。
本発明のマネキン人形１０は、取付部３０が肩部１２を含まないために、この部分を小さくすることができ、滑らかに丸くすることができる。このため、取付部３０を袖口から中へ挿入することができる。
【００３０】
マネキン人形１１０では、取付部１３０の先端に嵌合突起１３２を備えている。このため、連結する際に、本体部１２０に対して取付部１３０を、嵌合突起１３２の長さの分だけ動かす必要があり、マネキン人形１１０及び上着１８０などに無理な力が掛ってしまう。
本発明のマネキン人形１０は、磁力を利用して結合するものであるために、取付部３０を直線的に差し込んで連結することができる。連結する際に、マネキン人形１０及び上着８０に無理な力を掛けることもない。
【００３１】
マネキン人形１１０では、取付部１３０を差し込むときに、シャツ１７０のボタンを留めないのであるが、それでも、連結する際に、嵌合孔１２２と嵌合突起１３２の位置を、手探りで確認する必要がある。
本発明のマネキン人形１０は、取付部３０を取り付ける前に、シャツ７０のボタンを留めたり、ネクタイを締めたりすることができる。そして、取付部３０を袖７１から挿入することによって、正しい位置へ自然に導かれて連結することができる。
したがって、マネキン人形や衣類を傷付けることなく、衣類を簡単に素早く着せたり脱がしたりすることができる。
【００３２】
以上、図面を参照して、本発明の実施の形態を詳述したが、具体的な構成は、この実施形態に限らず、本発明の要旨を逸脱しない程度の設計的変更は、本発明に含まれる。
例えば、マネキン人形１０は、男性であっても女性であってもよく、大人であっても子供であってもよい。また、全身であってもよく、上半身のみのトルソ−であってもよい。
【符号の説明】
【００３３】
１０：  マネキン人形
１１：  胸部
１２：  肩部
１３：  腕部
１４：  手部
２０：  本体部
３０：  取付部
５０：  連結部
【図１】
2017158778.tif 000003
【図２Ａ】
2017158778.tif 000004
【図２Ｂ】
2017158778.tif 000005
【図３】
2017158778.tif 000006
【図４Ａ】
2017158778.tif 000007
【図４Ｂ】
2017158778.tif 000008
【図４Ｃ】
2017158778.tif 000009
【図５】
2017158778.tif 000010
【図６】
2017158778.tif 000011
【図７】
2017158778.tif 000012
【図８】
2017158778.tif 000013
【手続補正書】
【提出日】平成29年6月7日(2017.6.7)
【手続補正１】
【補正対象書類名】特許請求の範囲
【補正対象項目名】請求項１
【補正方法】変更
【補正の内容】
【請求項１】
衣類の展示などに用いるマネキン人形であって、
胸部及び肩部を有する本体部と腕部を有する取付部を備え、
前記本体部と前記取付部が、連結部を構成して結合及び分離可能に連結され、
分離状態において前記本体部に衣類を着せた後に、前記取付部を衣類の袖口から差しこむことにより連結し、
その結合状態が、磁力によって保持されることを特徴とするマネキン人形。
【手続補正２】
【補正対象書類名】明細書
【補正対象項目名】０００８
【補正方法】変更
【補正の内容】
【０００８】
前記目的を達成するために、本発明のマネキン人形は、衣類の展示などに用いるマネキン人形であって、胸部及び肩部を有する本体部と腕部を有する取付部を備え、前記本体部と前記取付部が、連結部を構成して結合及び分離可能に連結され、分離状態において前記本体部に衣類を着せた後に、前記取付部を衣類の袖口から差しこむことにより連結し、その結合状態が、磁力によって保持されることを特徴としている。